(57)【要約】【課題】顔面に被覆して、二酸化炭素を発生させて、顔面に血行促進作用およびマッサージ作用を及ぼすことのできるパック用フェイスマスクを提供する。【解決手段】炭酸塩を含有する塩基性組成物を水と共に不織布に含浸させた塩基性組成物含浸シートと、酸を含有する酸性素成物を水と共に不織布に含浸させた酸性素成物含浸シートとを、それぞれ別々に形成し、前記酸性素成物含浸シートの上面に前記酸性素性物含浸シートを重合して二層構造として、該塩基性組成物含浸シート部分を顔面に接触するように被覆することにより、前記各シートに含浸された塩基性組成物の炭酸塩と酸性組成物の酸とが反応して、二酸化炭素を発生させる。。【選択図】なし【特許請求の範囲】
【請求項１】
炭酸塩を含有する塩基性組成物を水と共に不織布に含浸させた塩基性組成物含浸シートと、酸を含有する酸性素成物を水と共に不織布に含浸させた酸性素成物含浸シートとを、それぞれ別々に形成し、前記酸性素成物含浸シートの上面に前記酸性素性物含浸シートを重合して二層構造として、該塩基性組成物含浸シート部分を顔面に接触するように被覆することにより、前記各シートに含浸された塩基性組成物の炭酸塩と酸性組成物の酸とが反応して、二酸化炭素を発生させるようにしたことを特徴とするパック用フェイスマスク。
【発明の詳細な説明】
【技術分野】
【０００１】
本発明は、顔面に被覆して、二酸化炭素を発生させて、顔面に血行促進作用およびマッサージ作用を及ぼすことのできるパック用フェイスマスクに関するものである。
【背景技術】
【０００２】
従来、一般に使用されているパック用フェイスマスクは、例えば、下記特許文献１に示すように、不織布等のシート状構造物に美容液や化粧水等の化粧料を含浸させて使用していた。
【０００３】
前記特許文献１記載の「パック用フェイスマスク」は、美容液や化粧水等の化粧料を含浸させたフェイスマスクを顔面に被覆して、前記化粧料等による美容効果を与えるようにしたものであって、該フェイスマスクに二酸化炭素を発生させる成分を含浸させていないので、二酸化炭素によって顔面に血行促進作用およびマッサージ作用を及ぼすことができないという課題があった。
【０００４】
また、前記「パック用フェイスマスク」を使用することなく、顔面に直接塗布して二酸化炭素を発生させるパック剤として、下記特許文献２記載の「二剤式二酸化炭素発生組成物」が公知である。前記特許文献２記載の「二剤式二酸化炭素発生組成物」は、液だれを防止するためそれぞれ増粘剤を含有する酸性組成物と塩基性組成物を混合して成るものであって、顔面にいちいち塗布してパックする必要があるため、手間がかかると共に、更に使用後、顔面より前記塗布したパックを剥す必要があるので、極めて面倒であるという課題があった。
【先行技術文献】
【特許文献】
【０００５】
【特許文献１】特許第３９１０５４７号公報
【特許文献２】特許第５３８０７５８号公報
【発明の概要】
【発明が解決しようとする課題】
【０００６】
本発明は、前記課題を解決すべくなされたものであって、炭酸水素ナトリウム等の炭酸塩を含有する塩基性組成物を水と共に不織布に含浸させた塩基性組成物含浸シートと、クエン酸等の酸を含有する酸性素成物を水と共に不織布に含浸させた酸性組成物含浸シートとを、それぞれ別々に形成し、前記塩基性素成物含浸シートの上面に前記酸性素性物含浸シートを重合して二層構造として、該塩基性組成物含浸シート部分を顔面に接触するように被覆することにより、前記各シートに含浸された塩基性組成物の炭酸塩と酸性組成物の酸とが反応して、二酸化炭素を発生させて、顔面に血行促進作用およびマッサージ作用を及ぼすことができるパック用フェイスマスクを提供しようとするものである。
【課題を解決するための手段】
【０００７】
本発明は、炭酸塩を含有する塩基性組成物を水と共に不織布に含浸させた塩基性組成物含浸シートと、酸を含有する酸性素成物を水と共に不織布に含浸させた酸性素成物含浸シートとを、それぞれ別々に形成し、前記酸性素成物含浸シートの上面に前記酸性素性物含浸シートを重合して二層構造として、該塩基性組成物含浸シート部分を顔面に接触するように被覆することにより、前記各シートに含浸された塩基性組成物の炭酸塩と酸性組成物の酸とが反応して、二酸化炭素を発生させるという構成を採用することにより、上記課題を解決した。
【発明の効果】
【０００８】
前記構成より成る本発明によれば、炭酸塩を含有する塩基性組成物を水と共に不織布に含浸させた塩基性組成物含浸シートの上面に、酸を含有する酸性素成物を水と共に不織布に含浸させた酸性素成物シートを重合して二層構造として、該塩基性組成物含浸シート部分を顔面に接触するように被覆することにより、前記各シートに含浸された塩基性組成物の炭酸塩と酸性組成物の酸とが反応して、二酸化炭素を発生させるので、顔面に血行促進作用およびマッサージ作用を及ぼすことができ、従来のパック剤のように、液だれを防止するため増粘剤を含有する酸性組成物と塩基性組成物を混合して成る二剤式二酸化炭素発生組成物を、顔面にいちいち塗布してパックする必要がなく手間がかからず、また使用後、顔面より前記パック剤を剥を剥がす必要がなく、単に使用済のシートを顔面より取去るだけであるので、使用するのに極めて便利であるとの利点がある。
【実施例】
【０００９】
本発明は、炭酸水素ナトリウム等の塩基性組成物の炭酸塩とクエン酸等の酸性組成物の酸とが反応すると、二酸化炭素を発生させるが、この二酸化炭素を顔面に作用させると、顔面に血行促進作用およびマッサージ作用を及ぼすことができるという観点から発明を成したもので、前記炭酸水素ナトリウム等の炭酸塩を含有する塩基性組成物と、クエン酸等の酸を含有する酸性組成物をそれぞれ別々に顔面のパック用に形成された不織布に、それぞれ水と共に含浸させて、塩基性組成物含浸シートと酸性組成物含浸シートとを形成し、顔面にパックするに当たり、前記塩基性組成物含浸シートの上面に酸性組成物含浸シートを積層重合して二層構造として使用するようにしたパック用フェイスマスクである。以下、本発明につき、更に詳細に説明する。
【００１０】
本発明で使用する塩基性組成物における炭酸塩としては、前記酸性組成物における酸と反応して二酸化炭素を発生するものであれば特に限定されない。例えば、炭酸アンモニウム、炭酸水素アンモニウム、炭酸カリウム、炭酸水素カリウム、炭酸ナトリウム、炭酸水素ナトリウム、炭酸マグネシウム、炭酸水素マグネシウム、炭酸水素カルシウム、炭酸カルシウム等が挙げられ、これらの一種以上が用いられる。前記炭酸塩の中では、炭酸水素ナトリウムが、価格面および商品流通における入手のし易さから好ましい。
【００１１】
そして、前記塩基性組成物に含まれる水の配合量は、特に限定する必要はないが、塩基性組成物全体に対して７０〜９７．５重量％が好ましいが、より好ましくは７５〜９５重量％、更に好ましくは８０〜９２．５重量％である。
【００１２】
また、本発明で使用する酸性組成物における酸としては、有機酸、無機酸のいずれでもよく、これらの１種または２種以上が用いられる。有機酸としては、酢酸、コハク酸、アスパラギン酸等の酸性アミノ酸、グリコール酸、リンゴ酸、酒石酸、クエン酸等が挙げられる。無機酸としては、リン酸、亜硫酸ナトリウム、亜硫酸カリウム等が挙げられる。前記酸の中では、クエン酸が、価格面および商品流通における入手のし易さから好ましい。
【００１３】
そして、前記酸性組成物に含まれる水の配合量は、特に限定する必要はないが、酸性組成物全体に対して７０〜９７．５重量％が好ましいが、より好ましくは７５〜９５重量％、更に好ましくは８０〜９２．５重量％である。
【００１４】
また、本発明において使用する不織布は、一般に市販されている不織布のうち、柔らかさと保水性があればいずれも採用することができるが、好ましくは、スパンレース不織布を使用することが推奨される。スパンレース不織布は、レーヨン繊維および／またはテンセル繊維から成るもので、柔らかさおよび保水性を備えているので、本発明において有利に使用することができる。
【００１５】
更にまた、本発明における塩基性組成物含浸シートおよび酸性組成物含浸シートは、積層重合して使用するため、従来一般に使用されているパック用フェイスマスクと同様、図示していないが、それぞれ両眼部分、口および鼻部分を開口して同一形状に形成されている。
【００１６】
そして、前記塩基性組成物を水と共に含浸した塩基性組成物含浸シートと、酸性組成物を水と共に含浸した酸性組成物含浸シートとは、積層重合することなく、それぞれ別々に脱水防止機能を有する密封袋内に封入保存し、顔面にパックする時点において、前記各シートを密封袋より取出し、前記塩基性組成物含浸シート上に、前記酸性組成物含浸シートを載置して積層重合して両者を一体として、該基性組成物含浸シート側を顔面上に被覆して顔面にパックする。
【００１７】
顔面にパックすると、例えば、前記塩基性組成物の炭酸塩である炭酸水素ナトリウムと、例えば、前記酸性組成物の酸であるクエン酸とが反応して、二酸化炭素が継続して発生して、これにより前記継続して発生している二酸化炭素が顔面に作用し、血行促進効果とマッサージ効果を継続して得ることができるのである。なお、前記顔面に被覆するに当って、塩基性組成物含浸シート側を顔面に接触させるのは、酸性組成物含浸シート側を顔面に接触させると、酸性組成物による刺激が強く、不快感を与えるので、それを防止するためである。